(57)【要約】【課題】トランジスタの特性ばらつきを抑制することができる電子回路、電子装置、電気光学装置及び電子機器を提供する。【解決手段】単一ラインドライバを構成するデジタル・アナログ変換回路２１ａを第１及び第２の変換用トランジスタＱａ，Ｑｂ、電流用トランジスタＱｃｃ、第１〜６の電流供給用トランジスタＱｄ１〜Ｑｄ６、第１〜６のスイッチング用トランジスタＱｓ１〜Ｑｓ６及び基準電流生成用トランジスタＱｒｅｆで構成した。また、第１の変換用トランジスタＱａと第１〜６の電流供給用トランジスタＱｄ１〜Ｑｄ６とがカレントミラー回路を構成するようにした。そして、第１の変換用トランジスタＱａとカレントミラー回路を構成する基準電流生成用トランジスタＱｒｅｆを形成した。また、基準電流生成用トランジスタＱｒｅｆの出力端子Ｐｏを隣接して形成される他の単一ラインドライバのデジタル・アナログ変換回路２１ａの入力端子Ｐｉに接続した。【選択図】      図５
2004254190.tif 000002
【特許請求の範囲】
【請求項１】
第１の制御用端子を備えた、ダイオード接続された第１のトランジスタと、
第２の制御用端子を備え、前記第１の制御用端子に前記第２の制御用端子が接続された複数の第２のトランジスタと、
各々が信号線に接続された第３の制御用端子を備え、前記複数の第２のトランジスタの各々に直列に接続された複数の第３のトランジスタと、
第４の制御用端子を備え、前記第１の制御用端子に前記第４の制御用端子が接続された第４のトランジスタと、を含み、
前記複数の第３のトランジスタのうち、前記信号線を介して供給されるオン信号によりオン状態とされた第３のトランジスタと、前記複数の第２のトランジスタのうち、前記オン状態とされた第３のトランジスタと直列に接続された第２のトランジスタと、からなる電流経路は一つの出力端子に接続され、
前記第４のトランジスタは前記一つの出力端子には接続されないことを特徴とする電子回路。
【請求項２】
請求項１に記載の電子回路において、
前記第４のトランジスタの利得係数は、前記第１のトランジスタの利得係数と同じであることを特徴とする電子回路。
【請求項３】
請求項１または２に記載の電子回路において、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタと
を備えたことを特徴とする電子回路。
【請求項４】
第１の制御用端子を備えた、ダイオード接続された第１のトランジスタと、
前記第１の制御用端子の電圧レベルを基準値とした電流を出力する複数の第２のトランジスタと、
各々が第３の制御用端子を備え、前記第３の制御用端子に入力されるオン・オフ信号に応じて前記複数の第２のトランジスタの各々から出力される電流を制御する第３のトランジスタと、
第４の制御用端子を備え、前記第１の制御用端子の電圧レベルを基準値とした電流を出力する第４のトランジスタと、を含み、
前記第４のトランジスタから出力される電流は、前記複数の第２のトランジスタの各々から出力される電流経路には流れないようにしたことを特徴とする電子回路。
【請求項５】
第１の制御用端子を備えた、ダイオード接続された第１のトランジスタと、
前記第１の制御用端子の電圧レベルを基準値とした電流を出力する複数の第２のトランジスタと、
各々が第３の制御用端子を備え、前記第３の制御用端子に入力されるオン・オフ信号に応じて前記複数の第２のトランジスタの各々から出力される電流を制御する第３のトランジスタと、
前記第１の制御用端子の電圧レベルを基準値とした電流を出力する第４のトランジスタと、を含み、
前記複数の第３のトランジスタのうち、前記オン・オフ信号によりオン状態とされた第３のトランジスタと、前記複数の第２のトランジスタのうち、前記オン状態とされた第３のトランジスタと直列に接続された第２のトランジスタと、からなる電流経路には、前記第４のトランジスタは設けられていないことを特徴とする電子回路。
【請求項６】
請求項４または５に記載の電子回路において、
前記第４のトランジスタの利得係数は、前記第１のトランジスタの利得係数と同じであることを特徴とする電子回路。
【請求項７】
請求項４乃至６のいずれか１つに記載の電子回路において、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタと
を備えたことを特徴とする電子回路。
【請求項８】
複数の単位回路を備えた電子装置において、
前記複数の単位回路の各々は、
第１の制御用端子を備えた、ダイオード接続された第１のトランジスタと、
第２の制御用端子を備え、前記第１の制御用端子に前記第２の制御用端子が接続された複数の第２のトランジスタと、
各々が信号線に接続された第３の制御用端子を備え、前記複数の第２のトランジスタの各々に直列に接続された複数の第３のトランジスタと、
第４の制御用端子を備え、前記第１の制御用端子に前記第４の制御用端子が接続されるとともに、前記信号線を介して供給されるオン信号によりオン状態とされた前記第３のトランジスタと直列に接続された第２のトランジスタからなる電流経路には設けられていない第４のトランジスタと、を含み、
前記第４のトランジスタは、接続線を介して他の単位回路に接続され、前記第４のトランジスタから出力される電流レベルに応じて、他の単位回路に含まれる第１の制御用端子の電圧レベルを制御することを特徴とする電子装置。
【請求項９】
請求項８に記載の電子装置において、
前記複数の単位回路の各々の前記第４のトランジスタの利得係数は、前記第１のトランジスタの利得係数と同じであることを特徴とする電子装置。
【請求項１０】
請求項８または９に記載の電子装置において、
前記複数の単位回路の各々は、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタと
を備えたことを特徴とする電子装置。
【請求項１１】
複数の単位回路を備えた電子装置において、
前記複数の単位回路の各々は、
第１の制御用端子を備えた、ダイオード接続された第１のトランジスタと、
前記第１の制御用端子の電圧レベルを基準値とした電流を出力する複数の第２のトランジスタと、
各々が第３の制御用端子を備え、前記第３の制御用端子に入力されるオン・オフ信号に応じて前記複数の第２のトランジスタの各々から出力される電流を制御する第３のトランジスタと、
第４の制御用端子を備え、前記第１の制御用端子の電圧レベルを基準値とした電流を出力する第４のトランジスタと、を含み、
前記第４のトランジスタから出力される電流は、前記オン・オフ信号によりオン状態とされた前記第３のトランジスタと直列に接続された第２のトランジスタからなる電流経路には供給されず、他の単位回路に供給されることを特徴とする電子装置。
【請求項１２】
複数の単位回路を備えた電子装置において、
前記複数の単位回路の各々は、
第１の制御用端子を備えた、ダイオード接続された第１のトランジスタと、
前記第１の制御用端子の電圧レベルを基準値とした電流を出力する複数の第２のトランジスタと、
各々が第３の制御用端子を備え、前記第３の制御用端子に入力されるオン・オフ信号に応じて前記複数の第２のトランジスタの各々から出力される電流を制御する第３のトランジスタと、
第４の制御用端子を備え、前記第１の制御用端子の電圧レベルを基準値とした電流を出力する第４のトランジスタと、を含み、
前記第４のトランジスタから出力される電流は、他の単位回路の第１の制御用端子の電圧レベルを設定する基準電流となることを特徴とする電子装置。
【請求項１３】
請求項１１または１２に記載の電子装置において、
前記複数の単位回路の各々の前記第４のトランジスタの利得係数は、前記第１のトランジスタの利得係数と同じであることを特徴とする電子装置。
【請求項１４】
請求項１１乃至１３のいずれか１つに記載の電子装置において、
複数の前記単位回路は、カスケード接続されていることを特徴とする電子装置。
【請求項１５】
請求項１１乃至１４のいずれか１つに記載の電子装置において、
前記複数の単位回路の各々は、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタとが設けられていることを特徴とする電子装置。
【請求項１６】
複数の単位回路を備えた電子装置において、
前記複数の単位回路の各々は、
第１の制御用端子を備えた、ダイオード接続された第１のトランジスタと、
前記第１の制御用端子の電圧レベルを基準値とした電流を出力する複数の第２のトランジスタと、
各々が第３の制御用端子を備え、前記第３の制御用端子に入力されるオン・オフ信号に応じて前記複数の第２のトランジスタの各々から出力される電流を制御する第３のトランジスタと、
第４の制御用端子を備え、前記第１の制御用端子の電圧レベルを基準値とした電流を出力する第４のトランジスタと、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタと、を含み、
前記第４のトランジスタは、同第４のトランジスタが含まれる単位回路の、前記オン・オフ信号によりオン状態とされた前記第３のトランジスタと直列に接続された第２のトランジスタとは接続されず、他の単位回路に含まれる前記第６のトランジスタに接続されていることを特徴とする電子装置。
【請求項１７】
請求項１６に記載の電子装置において、
前記複数の単位回路の各々の前記第４のトランジスタの利得係数は、前記第１のトランジスタの利得係数と同じであることを特徴とする電子装置。
【請求項１８】
請求項１６または１７に記載の電子装置において、
複数の前記単位回路は、カスケード接続されていることを特徴とする電子装置。
【請求項１９】
複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、
前記データ電流供給回路は、
第１の制御用端子を備えた、ダイオード接続された第１のトランジスタと、
第２の制御用端子を備え、前記第１の制御用端子に前記第２の制御用端子が接続された複数の第２のトランジスタと、
各々が画像データを供給する信号線に接続された第３の制御用端子を備え、前記複数の第２のトランジスタの各々と直列に接続された複数の第３のトランジスタと、
第４の制御用端子を備え、前記第１の制御用端子に前記第４の制御用端子が接続された第４のトランジスタと
を含み、
前記第４のトランジスタは、接続線を介して他のデータ電流供給回路に接続され、前記第４のトランジスタから出力される電流レベルに応じて、他のデータ電流供給回路に含まれる第１の制御用端子の電圧レベルを制御することを特徴とする電気光学装置。
【請求項２０】
請求項１９に記載の電気光学装置において、
前記第４のトランジスタの利得係数は、前記第１のトランジスタの利得係数と同じであることを特徴とする電気光学装置。
【請求項２１】
請求項１９または２０に記載の電気光学装置において、
前記データ電流供給回路は、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタと
を備えたことを特徴とする電気光学装置。
【請求項２２】
複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、
前記各データ電流供給回路は、
第１の制御用端子を備えた、ダイオード接続された第１のトランジスタと、
前記第１の制御用端子の電圧レベルを基準値とした電流を出力する複数の第２のトランジスタと、
各々が第３の制御用端子を備え、前記第３の制御用端子に入力される画像データに応じて前記複数の第２のトランジスタの各々から出力される電流を制御する第３のトランジスタと、
第４の制御用端子を備え、前記第１の制御用端子の電圧レベルを基準値とした電流を出力する第４のトランジスタと、を含み、
前記第４のトランジスタから出力される電流は、前記画像データによりオン状態とされた前記第３のトランジスタと直列に接続された第２のトランジスタからなる電流経路には供給されず、他の単位回路に供給されることを特徴とする電気光学装置。
【請求項２３】
複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、
前記各データ電流供給回路は、
第１の制御用端子を備えた、ダイオード接続された第１のトランジスタと、
前記第１の制御用端子の電圧レベルを基準値とした電流を出力する複数の第２のトランジスタと、
各々が第３の制御用端子を備え、前記第３の制御用端子に入力される画像データに応じて前記複数の第２のトランジスタの各々から出力される電流を制御する第３のトランジスタと、
第４の制御用端子を備え、前記第１の制御用端子の電圧レベルを基準値とした電流を出力する第４のトランジスタと、を含み、
前記第４のトランジスタから出力される電流は、他の単位回路の第１の制御用端子の電圧レベルを設定する基準電流となることを特徴とする電気光学装置。
【請求項２４】
請求項２２または２３に記載の電気光学装置において、
前記複数のデータ電流供給回路の各々の前記第４のトランジスタの利得係数は、前記第１のトランジスタの利得係数と同じであることを特徴とする電気光学装置。
【請求項２５】
請求項２２乃至２４のいずれか１つに記載の電気光学装置において、
複数の前記データ電流供給回路は、カスケード接続されていることを特徴とする電気光学装置。
【請求項２６】
請求項２２乃至２５のいずれか１つに記載の電気光学装置において、
前記各データ電流供給回路は、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタとが設けられていることを特徴とする電気光学装置。
【請求項２７】
複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、
前記データ電流供給回路は、
第１の制御用端子を備えた、ダイオード接続された第１のトランジスタと、
前記第１の制御用端子の電圧レベルを基準値とした電流を出力する複数の第２のトランジスタと、
各々が第３の制御用端子を備え、前記第３の制御用端子に入力されるオン・オフ信号に応じて前記複数の第２のトランジスタの各々から出力される電流を制御する第３のトランジスタと、
第４の制御用端子を備え、前記第１の制御用端子の電圧レベルを基準値とした電流を出力する第４のトランジスタと、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタと、を含み、
前記第４のトランジスタは、同第４のトランジスタが含まれる単位回路の前記オン・オフ信号によりオン状態とされた前記第３のトランジスタと直列に接続された第２のトランジスタには接続されず、他の単位回路に含まれる前記第６のトランジスタに接続されていることを特徴とする電気光学装置。
【請求項２８】
請求項２７に記載の電気光学装置において、
前記複数のデータ電流供給回路の各々の前記第４のトランジスタの利得係数は、前記第１のトランジスタの利得係数と同じであることを特徴とする電気光学装置。
【請求項２９】
請求項２７または２８に記載の電気光学装置において、
複数の前記データ電流供給回路は、カスケード接続されていることを特徴とする電気光学装置。
【請求項３０】
請求項２７乃至２９のいずれか１つに記載の電気光学装置において、
前記データ電流供給回路は、
第５の制御用端子を備え、前記第１のトランジスタと直列に接続された第５のトランジスタと、
第６の制御用端子を備え、前記第５の制御用端子が前記第６の制御用端子に接続された、ダイオード接続された第６のトランジスタと
を備えたことを特徴とする電気光学装置。
【請求項３１】
請求項３０に記載の電気光学装置において、
前記第６のトランジスタの利得係数は、前記第１のトランジスタの利得係数と同じであることを特徴とする電気光学装置。
【請求項３２】
請求項１９乃至３１のいずれか１つに記載の電気光学装置において、
前記電気光学素子は、ＥＬ素子であることを特徴とする電気光学装置。
【請求項３３】
請求項３２に記載の電気光学装置において、
前記ＥＬ素子は、発光層が有機材料で構成されていることを特徴とする電気光学装置。
【請求項３４】
請求項８乃至１８のいずれか１つに記載の電子装置を実装したことを特徴とする電子機器。
【請求項３５】
請求項１９乃至３３のいずれか１つに記載の電気光学装置を実装したことを特徴とする電子機器。
【発明の詳細な説明】
【０００１】
【発明の属する技術分野】
本発明は、電子回路、電子装置、電気光学装置及び電子機器に関するものである。
【０００２】
【従来の技術】
有機ＥＬ素子を用いた表示装置の一つに、画素回路毎に有機ＥＬ素子を制御する駆動トランジスタを備えたアクティブマトリクス型表示装置がある。
【０００３】
この種の表示装置は、デジタルデータである画像データに応じたデータ電流をデータ線を介して前記画素回路に出力するデータ線駆動回路を備えている。このデータ線駆動回路は、その内部に複数のデジタル・アナログ変換回路を備えた単一ラインドライバを有しており、そのデジタル・アナログ変換回路にて前記画像データをアナログ信号に変換した後にデータ線を介して各画素回路に出力する（例えば、特許文献１）。
【０００４】
【特許文献１】
特開２０００−１２２６０８号公報
【０００５】
【発明が解決しようとする課題】
ところで、一般に画素回路の数は非常に多く、そのため、複数の単一ラインドライバを互いに電気的に接続して一つのデータ線駆動回路を形成する場合がある。しかしながら、各単一ラインドライバは、そのデジタル・アナログ変換回路を構成するトランジスタの特性ばらつきによって、同じ画像データに対して異なった大きさのデータ電流がそれぞれ出力されてしまう。その結果、有機ＥＬ素子は、同じ画像データに対して、接続された単一ラインドライバによって異なった輝度で発光することとなる。このことによって、表示品位が優れた電気光学装置を提供することができない。
【０００６】
本発明は上記問題点を解消するためになされたものであって、その目的は、トランジスタの特性ばらつきを抑制することができる電子装置、電気光学装置及び電子機器を提供することにある。
【０００７】
【課題を解決するための手段】
本発明における電子回路は、第１の制御用端子を備えた、ダイオード接続された第１のトランジスタと、第２の制御用端子を備え、前記第１の制御用端子に前記第２の制御用端子が接続された複数の第２のトランジスタと、各々が信号線に接続された第３の制御用端子を備え、前記複数の第２のトランジスタの各々に直列に接続された複数の第３のトランジスタと、第４の制御用端子を備え、前記第１の制御用端子に前記第４の制御用端子が接続された第４のトランジスタと、を含み、前記複数の第３のトランジスタのうち、前記信号線を介して供給されるオン信号によりオン状態とされた第３のトランジスタと、前記複数の第２のトランジスタのうち、前記オン状態とされた第３のトランジスタと直列に接続された第２のトランジスタと、からなる電流経路は一つの出力端子に接続され、前記第４のトランジスタは前記一つの出力端子には接続されない。
【０００８】
これによれば、信号線を介して第３トランジスタに供給するデジタルデータに応じた大きさのアナログ電流を出力するデジタル・アナログ変換回路を構成するとともに、前記アナログ電流とは関係がない第１のトランジスタを基準値とした電流を出力する電子回路を提供することができる。
【０００９】
この電子回路において、前記第４のトランジスタの利得係数は、前記第１のトランジスタの利得係数と同じであってもよい。
これによれば、第４のトランジスタから出力されるアナログ電流の電流レベルは、第１のトランジスタを流れる電流の電流レベルと同じにすることができる。
【００１０】
この電子回路において、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタとを備えていてもよい。
これによれば、第１の制御用端子に生じる電圧の電圧レベルを第６のトランジスタに流れる電流の電流レベルで制御することができる。
【００１１】
本発明の電子回路は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力されるオン・オフ信号に応じて前記複数の第２のトランジスタの各々から出力される電流を制御する第３のトランジスタと、第４の制御用端子を備え、前記第１の制御用端子の電圧レベルを基準値とした電流を出力する第４のトランジスタと、を含み、前記第４のトランジスタから出力される電流は、前記複数の第２のトランジスタの各々から出力される電流経路には流れないようにした。
【００１２】
これによれば、信号線を介して第３トランジスタに供給するデジタルデータに応じた大きさのアナログ電流を出力するデジタル・アナログ変換回路を構成するとともに、前記アナログ電流とは関係がない第１のトランジスタを基準値とした電流を出力する電子回路を提供することができる。
【００１３】
本発明の電子回路は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力されるオン・オフ信号に応じて前記複数の第２のトランジスタの各々から出力される電流を制御する第３のトランジスタと、前記第１の制御用端子の電圧レベルを基準値とした電流を出力する第４のトランジスタと、を含み、前記複数の第３のトランジスタのうち、前記オン・オフ信号によりオン状態とされた第３のトランジスタと、前記複数の第２のトランジスタのうち、前記オン状態とされた第３のトランジスタと直列に接続された第２のトランジスタと、からなる電流経路には、前記第４のトランジスタは設けられていない。
【００１４】
これによれば、信号線を介して第３トランジスタに供給するデジタルデータに応じた大きさのアナログ電流を出力するデジタル・アナログ変換回路を構成するとともに、前記アナログ電流とは関係がない第１のトランジスタを基準値とした電流を出力する電子回路を提供することができる。
【００１５】
この電子回路において、前記第４のトランジスタの利得係数は、前記第１のトランジスタの利得係数と同じであってもよい。
これによれば、第４のトランジスタから出力されるアナログ電流の電流レベルは、第１のトランジスタを流れる電流の電流レベルと同じにすることができる。
【００１６】
この電子回路において、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタとを備えていてもよい。
これによれば、第１の制御用端子に生じる電圧の電圧レベルを第６のトランジスタに流れる電流の電流レベルで制御することができる。
【００１７】
本発明の電子装置は、複数の単位回路を備えた電子装置において、前記複数の単位回路の各々は、第１の制御用端子を備えた、ダイオード接続された第１のトランジスタと、第２の制御用端子を備え、前記第１の制御用端子に前記第２の制御用端子が接続された複数の第２のトランジスタと、各々が信号線に接続された第３の制御用端子を備え、前記複数の第２のトランジスタの各々に直列に接続された複数の第３のトランジスタと、第４の制御用端子を備え、前記第１の制御用端子に前記第４の制御用端子が接続されるとともに、前記信号線を介して供給されるオン信号によりオン状態とされた前記第３のトランジスタと直列に接続された第２のトランジスタからなる電流経路には設けられていない第４のトランジスタと、を含み、前記第４のトランジスタは、接続線を介して他の単位回路に接続され、前記第４のトランジスタから出力される電流レベルに応じて、他の単位回路に含まれる第１の制御用端子の電圧レベルを制御する。
【００１８】
これによれば、１つの単位回路にて生成される電流を基準電流とし、その基準電流を他の各単位回路の第１のトランジスに供給する。そして、その基準電流に応じて他の各単位回路の第１のトランジスタの第１の制御用端子の電圧を制御する。第１のトランジスタは、この基準電流を基準値として駆動するので、単位回路間の前記第１のトランジスタの閾値電圧といった特性ばらつきによるを抑制することができる。その結果、各単位回路は、その各第３のトランジスタに入力されるオン・オフ信号に応じた電流を精度良く出力することができる。
【００１９】
この電子装置において、前記複数の単位回路の各々の前記第４のトランジスタの利得係数は、前記第１のトランジスタの利得係数と同じであってもよい。
これによれば、１つの単位回路の第１のトランジスタに流れる電流の電流レベルを他の単位回路の全ての第１のトランジスタに流れる電流の電流レベルと同じにすることができる。
【００２０】
この電子装置において、前記複数の単位回路の各々は、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタとを備えていてもよい。
これによれば、第１の制御用端子に生じる電圧の電圧レベルを第６のトランジスタに流れる電流の電流レベルで制御することができる。
【００２１】
本発明の電子装置は、複数の単位回路を備えた電子装置において、前記複数の単位回路の各々は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力されるオン・オフ信号に応じて前記複数の第２のトランジスタの各々から出力される電流を制御する第３のトランジスタと、第４の制御用端子を備え、前記第１の制御用端子の電圧レベルを基準値とした電流を出力する第４のトランジスタと、を含み、前記第４のトランジスタから出力される電流は、前記オン・オフ信号によりオン状態とされた前記第３のトランジスタと直列に接続された第２のトランジスタからなる電流経路には供給されず、他の単位回路に供給される。
【００２２】
これによれば、各単位回路は、各第３のトランジスタに入力されるオン・オフ信号に応じた電流レベルを有するアナログ電流を出力するととも、第４のトランジスタからは前記アナログ電流と関係なく独立した電流を他の単位回路に供給する。そして、他の各単位回路は、前記第４のトランジスタから出力された電流を基準電流として各単位回路に含まれる第１のトランジスタの第１の制御用端子の電圧を設定する。このことによって、前記単位回路の各々は、その第１のトランジスタの特性にバラツキを抑制することができる。従って、各単位回路から出力されるアナログ電流を精度良く制御することができる。
【００２３】
本発明の電子装置は、複数の単位回路を備えた電子装置において、前記複数の単位回路の各々は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力されるオン・オフ信号に応じて前記複数の第２のトランジスタの各々から出力される電流を制御する第３のトランジスタと、第４の制御用端子を備え、前記第１の制御用端子の電圧レベルを基準値とした電流を出力する第４のトランジスタと、を含み、前記第４のトランジスタから出力される電流は、他の単位回路の第１の制御用端子の電圧レベルを設定する基準電流となる。
【００２４】
これによれば、各単位回路は、各第３のトランジスタに入力されるオン・オフ信号に応じた電流レベルを有するアナログ電流を出力するととも、第４のトランジスタからは前記アナログ電流と関係なく独立した電流を他の単位回路に供給する。そして、他の各単位回路は、前記第４のトランジスタから出力された電流を基準電流として各単位回路に含まれる第１のトランジスタの第１の制御用端子の電圧を設定する。このことによって、前記単位回路の各々は、その第１のトランジスタの特性にバラツキを抑制することができる。従って、各単位回路から出力されるアナログ電流を精度良く制御することができる。
【００２５】
この電子装置において、前記複数の単位回路の各々の前記第４のトランジスタの利得係数は、前記第１のトランジスタの利得係数と同じであってもよい。
これによれば、１つの単位回路の第１のトランジスタに流れる電流の電流レベルを他の単位回路の全ての基準電流とする。
【００２６】
この電子装置において、複数の前記単位回路は、カスケード接続されていてもよい。
これによれば、カスケード接続された単位回路にて生成されるアナログ電流を前記第３の制御用端子に入力されるオン・オフ信号に応じて精度良く制御することができる。
【００２７】
この電子装置において、前記複数の単位回路の各々は、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタとが設けられていもよい。
【００２８】
これによれば、第１の制御用端子に生じる電圧の電圧レベルを第６のトランジスタに流れる電流の電流レベルで制御することができる。
本発明の電子装置は、複数の単位回路を備えた電子装置において、前記複数の単位回路の各々は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力されるオン・オフ信号に応じて前記複数の第２のトランジスタの各々から出力される電流を制御する第３のトランジスタと、第４の制御用端子を備え、前記第１の制御用端子の電圧レベルを基準値とした電流を出力する第４のトランジスタと、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタと、を含み、前記第４のトランジスタは、同第４のトランジスタが含まれる単位回路の、前記オン・オフ信号によりオン状態とされた前記第３のトランジスタと直列に接続された第２のトランジスタとは接続されず、他の単位回路に含まれる前記第６のトランジスタに接続されている。
【００２９】
これによれば、各単位回路は、各第３のトランジスタに入力されるオン・オフ信号に応じた電流レベルを有するアナログ電流を出力するととも、第４のトランジスタからは前記アナログ電流と関係なく独立した電流を他の単位回路に供給する。そして、他の各単位回路は、前記第４のトランジスタから出力された電流を基準電流として各単位回路に含まれる第６のトランジスタに供給される。そして、第６のトランジスタを流れる基準電流によって第１のトランジスタの第１の制御用端子の電圧を設定する。このことによって、前記単位回路の各々は、その第１のトランジスタの特性にバラツキを抑制することができる。従って、各単位回路から出力されるアナログ電流を精度良く制御することができる。
【００３０】
この電子装置において、前記複数の単位回路の各々の前記第４のトランジスタの利得係数は、前記第１のトランジスタの利得係数と同じであってもよい。
これによれば、１つの単位回路の第１のトランジスタに流れる電流の電流レベルを他の単位回路の全ての第１のトランジスタに流れる電流の電流レベルと同じにすることができる。
【００３１】
この電子装置において、複数の前記単位回路は、カスケード接続されていてもよい。
これによれば、カスケード接続された単位回路にて生成されるアナログ電流を前記第３の制御用端子に入力されるオン・オフ信号に応じて精度良く制御することができる。
【００３２】
本発明の電気光学装置は、複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、前記データ電流供給回路は、第１の制御用端子を備えた、ダイオード接続された第１のトランジスタと、第２の制御用端子を備え、前記第１の制御用端子に前記第２の制御用端子が接続された複数の第２のトランジスタと、各々が画像データを供給する信号線に接続された第３の制御用端子を備え、前記複数の第２のトランジスタの各々と直列に接続された複数の第３のトランジスタと、第４の制御用端子を備え、前記第１の制御用端子に前記第４の制御用端子が接続された第４のトランジスタとを含み、前記第４のトランジスタは、接続線を介して他のデータ電流供給回路に接続され、前記第４のトランジスタから出力される電流レベルに応じて、他のデータ電流供給回路に含まれる第１の制御用端子の電圧レベルを制御する。
【００３３】
これによれば、画像データに応じた大きさのアナログ電流を出力するデジタル・アナログ変換回路を構成するとともに、前記アナログ電流とは関係がない第１のトランジスタを基準値とした電流を出力することができる。このことによって、各単位回路の第１のトランジスタの特性バラツキを抑制することができるので、前記画像データに応じた大きさのアナログ電流を精度良く出力することができる。その結果、優れた表示品位を備えた電気光学装置を提供することができる。
【００３４】
この電気光学装置において、前記第４のトランジスタの利得係数は、前記第１のトランジスタの利得係数と同じであってもよい。
これによれば、１つの単位回路の第１のトランジスタに流れる電流の電流レベルを他の単位回路の全ての第１のトランジスタに流れる電流の電流レベルと同じにすることができる。
【００３５】
この電気光学装置において、前記データ電流供給回路は、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタとを備えていてもよい。
【００３６】
これによれば、第１の制御用端子に生じる電圧の電圧レベルを第６のトランジスタに流れる電流の電流レベルで制御することができる。
本発明の電気光学装置は、複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、前記各データ電流供給回路は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力される画像データに応じて前記複数の第２のトランジスタの各々から出力される電流を制御する第３のトランジスタと、第４の制御用端子を備え、前記第１の制御用端子の電圧レベルを基準値とした電流を出力する第４のトランジスタと、を含み、前記第４のトランジスタから出力される電流は、前記画像データによりオン状態とされた前記第３のトランジスタと直列に接続された第２のトランジスタからなる電流経路には供給されず、他の単位回路に供給される。
【００３７】
これによれば、各単位回路は、各第３のトランジスタに入力されるオン・オフ信号に応じた電流レベルを有するアナログ電流を出力するととも、第４のトランジスタからは前記アナログ電流と関係なく独立した電流を他の単位回路に供給する。そして、他の各単位回路は、前記第４のトランジスタから出力された電流を基準電流として各単位回路に含まれる第１のトランジスタの第１の制御用端子の電圧を設定する。このことによって、前記単位回路の各々は、その第１のトランジスタの特性にバラツキを抑制することができる。従って、各単位回路から出力されるアナログ電流を精度良く制御することができる。この結果、優れた表示品位を備えた電気光学装置を提供することができる。
【００３８】
本発明の電気光学装置は、複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、前記各データ電流供給回路は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力される画像データに応じて前記複数の第２のトランジスタの各々から出力される電流を制御する第３のトランジスタと、第４の制御用端子を備え、前記第１の制御用端子の電圧レベルを基準値とした電流を出力する第４のトランジスタと、を含み、前記第４のトランジスタから出力される電流は、他の単位回路の第１の制御用端子の電圧レベルを設定する基準電流となる。
【００３９】
これによれば、各単位回路は、各第３のトランジスタに入力されるオン・オフ信号に応じた電流レベルを有するアナログ電流を出力するととも、第４のトランジスタからは前記アナログ電流と関係なく独立した電流を他の単位回路に供給する。そして、他の各単位回路は、前記第４のトランジスタから出力された電流を基準電流として各単位回路に含まれる第１のトランジスタの第１の制御用端子の電圧を設定する。このことによって、前記単位回路の各々は、その第１のトランジスタの特性にバラツキを抑制することができる。従って、各単位回路から出力されるアナログ電流を精度良く制御することができる。この結果、優れた表示品位を備えた電気光学装置を提供することができる。
【００４０】
この電気光学装置において、前記複数のデータ電流供給回路の各々の前記第４のトランジスタの利得係数は、前記第１のトランジスタの利得係数と同じであってもよい。
これによれば、１つの単位回路の第１のトランジスタに流れる電流の電流レベルを他の単位回路の全ての第１のトランジスタに流れる電流の電流レベルと同じにすることができる。
【００４１】
この電気光学装置において、複数の前記データ電流供給回路は、カスケード接続されていてもよい。
これによれば、カスケード接続されたデータ電流供給回路にて生成されるアナログ電流を前記第３の制御用端子に入力されるオン・オフ信号に応じて精度良く制御することができる。
【００４２】
この電気光学装置において、前記各データ電流供給回路は、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタとが設けられていてもよい。
これによれば、第１の制御用端子に生じる電圧の電圧レベルを第６のトランジスタに流れる電流の電流レベルで制御することができる。
【００４３】
本発明の電気光学装置は、複数の走査線と、複数のデータ線と、これら各前記走査線と各前記データ線との交差部に対応してそれぞれ配設された電気光学素子とを備えるとともに、各前記データ線にデータ電流を供給するデータ電流供給回路を備え、各前記電気光学素子に前記データ電流に応じた駆動電流量を供給する電気光学装置において、前記データ電流供給回路は、第１の制御用端子を備えた、ダイオード接続された第１のトランジスタと、前記第１の制御用端子の電圧レベルを基準値とした電流を出力する複数の第２のトランジスタと、各々が第３の制御用端子を備え、前記第３の制御用端子に入力されるオン・オフ信号に応じて前記複数の第２のトランジスタの各々から出力される電流を制御する第３のトランジスタと、第４の制御用端子を備え、前記第１の制御用端子の電圧レベルを基準値とした電流を出力する第４のトランジスタと、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタと、を含み、前記第４のトランジスタは、同第４のトランジスタが含まれる単位回路の前記オン・オフ信号によりオン状態とされた前記第３のトランジスタと直列に接続された第２のトランジスタには接続されず、他の単位回路に含まれる前記第６のトランジスタに接続されている。
【００４４】
これによれば、各単位回路は、各第３のトランジスタに入力されるオン・オフ信号に応じた電流レベルを有するアナログ電流を出力するととも、第４のトランジスタからは前記アナログ電流と関係なく独立した電流を他の単位回路に供給する。そして、他の各単位回路は、前記第４のトランジスタから出力された電流を基準電流として各単位回路に含まれる第６のトランジスタに供給される。そして、第６のトランジスタを流れる基準電流によって第１のトランジスタの第１の制御用端子の電圧を設定する。このことによって、前記単位回路の各々は、その第１のトランジスタの特性にバラツキを抑制することができる。従って、各単位回路から出力されるアナログ電流を精度良く制御することができる。この結果、優れた表示品位を備えた電気光学装置を提供することができる。
【００４５】
この電気光学装置において、前記複数のデータ電流供給回路の各々の前記第４のトランジスタの利得係数は、前記第１のトランジスタの利得係数と同じであってもよい。
【００４６】
これによれば、１つの単位回路の第１のトランジスタに流れる電流の電流レベルを他の単位回路の全ての第１のトランジスタに流れる電流の電流レベルと同じにすることができる。
【００４７】
この電気光学装置において、複数の前記データ電流供給回路は、カスケード接続されてもよい。
これによれば、カスケード接続された単位回路にて生成されるアナログ電流を前記第３の制御用端子に入力されるオン・オフ信号に応じて精度良く制御することができる。
【００４８】
この電気光学装置において、前記データ電流供給回路は、第５の制御用端子を備え、前記第１のトランジスタと直列に接続された第５のトランジスタと、第６の制御用端子を備え、前記第５の制御用端子が前記第６の制御用端子に接続された、ダイオード接続された第６のトランジスタとを備えていてもよい。
【００４９】
これによれば、第１の制御用端子に生じる電圧の電圧レベルを第６のトランジスタに流れる電流の電流レベルで制御することができる。
【００５０】
この電気光学装置において、前記第６のトランジスタの利得係数は、前記第１のトランジスタの利得係数と同じであってもよい。
これによれば、第１の制御用端子に生じる電圧の電圧レベルを第６のトランジスタに流れる電流の電流レベルで制御することができる。
【００５１】
この電気光学装置において、前記電気光学素子は、ＥＬ素子であってもよい。これによれば、ＥＬ素子を備えた電気光学装置の表示品位を向上させることができる。
【００５２】
この電気光学装置において、前記ＥＬ素子は、発光層が有機材料で構成されていてもよい。
これによれば、有機ＥＬ素子を備えた電気光学装置の表示品位を向上させることができる。
【００５３】
本発明における電子機器は、上記電子装置を実装している。
これによれば、デジタルデータに応じて精度良く制御する電子機器を提供することができる。
【００５４】
本発明における電子機器は、上記電気光学装置を実装している。
これによれば、表示品位の優れた電気光学装置を提供することができる。
【００５５】
【発明の実施の形態】
（第１実施形態）
以下、本発明を具体化した第１実施形態を図１〜図５に従って説明する。図１は、有機ＥＬディスプレイの電気的構成を示すブロック回路図である。図２は、表示パネル部の回路構成を示すブロック回路図である。図３は、画素回路の回路図である。
【００５６】
有機ＥＬディスプレイ１０は、信号生成回路１１、表示パネル部１２、走査線駆動回路１３及びデータ線駆動回路１４を備えている。尚、本実施形態における有機ＥＬディスプレイ１０は、アクティブマトリクス駆動方式の有機ＥＬディスプレイである。
【００５７】
有機ＥＬディスプレイ１０の信号生成回路１１、走査線駆動回路１３及びデータ線駆動回路１４は、それぞれが独立した電子部品によって構成されていてもよい。例えば、信号生成回路１１、走査線駆動回路１３及びデータ線駆動回路１４が、各々１チップの半導体集積回路装置によって構成されていてもよい。又、信号生成回路１１、走査線駆動回路１３及びデータ線駆動回路１４の全部若しくは一部がプログラマブルなＩＣチップで構成され、その機能がＩＣチップに書き込まれたプログラムによりソフトウェア的に実現されてもよい。
【００５８】
信号生成回路１１は、図示しない外部装置からの画像制御信号に基づいて表示パネル部１２に画像を表示するための走査制御信号及びデータ制御信号を作成する。そして、信号生成回路１１は、走査制御信号を走査線駆動回路１３に出力するとともに、データ制御信号をデータ線駆動回路１４に出力する。データ制御信号は、本実施形態においては、６ビットの画像データまたは信号としての画像デジタルデータである。
【００５９】
表示パネル部１２は、図２に示すように、その行方向に沿って延びるｎ本の走査線Ｙ１，Ｙ２，・・・，Ｙｎを備えている。また、表示パネル部１２は、その列方向に沿って延びるｍ本のデータ線Ｘ１，Ｘ２，・・・，Ｘｍを備えている。そして、表示パネル部１２は、前記各走査線Ｙ１，Ｙ２，・・・，Ｙｎと前記各データ線Ｘ１，Ｘ２，・・・，Ｘｍとの交差部に対応した位置に画素回路１５が配設されている。前記各画素回路１５は、前記走査線Ｙ１，Ｙ２，・・・，Ｙｎを介して走査線駆動回路１３に接続されている。又、各画素回路１５は、前記データ線Ｘ１，Ｘ２，・・・，Ｘｍを介してデータ線駆動回路１４に接続されている。ここで、前記ｍ本のデータ線Ｘ１，Ｘ２，・・・，Ｘｍは、ｉ個の組に区分され、その区分された各組に予め定めた本数（ｊ本）のデータ線が割り当てられた構成になっている。そして、説明の便宜上、ｍ本のデータ線Ｘ１，Ｘ２，・・・，Ｘｍを、他の組のデータ線と区別する場合には、データ線Ｘｉ．１，Ｘｉ．２，・・・，Ｘｉ．ｊと表記する。尚、データ線Ｘ１．１，Ｘ１．２，・・・，Ｘ１．ｊ、Ｘ２．１，Ｘ２．２，・・・，Ｘ２．ｊ、Ｘｉ．１，Ｘｉ．２，・・・，Ｘｉ．ｊは、この記載した順番で図２において左から右に形成されているものとする。更に、各画素回路１５は、列方向に伸びるｍ本の電源線Ｌ１，Ｌ２，・・・，Ｌｍと接続されている。電源線Ｌ１，Ｌ２，・・・，Ｌｍはそれぞれ前記画素回路１５を構成する後記する変換トランジスタＴｃ及び駆動トランジスタＴｄに駆動電圧Ｖｄｄを供給する。
【００６０】
図３は、ｍ番目のデータ線Ｘｍ（ｉ．ｊ）とｎ番目の走査線Ｙｎとの交差部にそれぞれ対応して配設された画素回路１５の回路図である。
画素回路１５は、その発光層が有機材料で構成された有機ＥＬ素子１６、駆動トランジスタＴｄ、第１及び第２のスイッチングトランジスタＴｓｗ１，Ｔｓｗ２、変換トランジスタＴｃ及び保持キャパシタＣｏを備えている。駆動トランジスタＴｄ、変換トランジスタＴｃ及び第２のスイッチングトランジスタＴｓｗ２は、それぞれ、ｐ型ＴＦＴである。また、第１のスイッチングトランジスタＴｓｗ１はｎ型ＴＦＴである。
【００６１】
駆動トランジスタＴｄは、そのドレインが有機ＥＬ素子１６の陽極に接続されている。有機ＥＬ素子１６の陰極は接地されている。駆動トランジスタＴｄのゲートは変換トランジスタＴｃのゲートに接続されている。また、駆動トランジスタＴｄのソースは、変換トランジスタＴｃのソースに接続されている。さらに、駆動トランジスタＴｄのソースは、駆動電圧Ｖｄｄを供給するｍ番目の電源線Ｌｍに接続されている。また、駆動トランジスタＴｄのソース／ゲート間には、保持キャパシタＣｏが接続されている。つまり、前記変換トランジスタＴｃと駆動トランジスタＴｄとでカレントミラー回路を構成している。
【００６２】
前記変換トランジスタＴｃのドレインは、第１のスイッチングトランジスタＴｓｗ１を介してｍ番目のデータ線Ｘｍ（Ｘｉ．ｊ）に接続されている。また、変換トランジスタＴｃのドレインは、第２のスイッチングトランジスタＴｓｗ２を介して前記保持キャパシタＣｏに接続されている。
【００６３】
前記第１のスイッチングトランジスタＴｓｗ１のゲートはｎ番目の第１の副走査線Ｙｎ１に接続されている。また、前記第２のスイッチングトランジスタＴｓｗ２のゲートはｎ番目の第２の副走査線Ｙｎ２に接続されている。前記第１の副走査線Ｙｎ１と第２の副走査線Ｙｎ２とでｎ番目の走査線Ｙｎを構成している。
【００６４】
尚、本実施形態においては、画素回路１５を、有機ＥＬ素子１６と、駆動トランジスタＴｄと、第１及び第２のスイッチングトランジスタＴｓｗ１，Ｔｓｗ２と、変換トランジスタＴｃと、保持キャパシタＣｏとで構成したが、これに限定されるものではなく、適宜変更してもよい。
【００６５】
走査線駆動回路１３は、信号生成回路１１から出力される前記走査制御信号に基づいて、表示パネル部１２に設けられた前記ｎ本の走査線Ｙ１，Ｙ２，・・・，Ｙｎのうち、１本の走査線を選択し、その選択された走査線に走査信号を出力する。そして、その走査信号によって、前記画素回路１５の有機ＥＬ素子１６が発光するタイミング及び保持キャパシタＣｏへ後記するデータ電流ＩＤに応じた電荷を書き込むタイミングを制御する。
【００６６】
データ線駆動回路１４は、信号生成回路１１から出力された前記画像デジタルデータに基づいてデータ電流ＩＤを生成するとともに、その生成されたデータ電流ＩＤを対応する前記データ線Ｘ１，Ｘ２，・・・，Ｘｍに供給する。そして、データ電流ＩＤは、その対応する前記データ線Ｘ１，Ｘ２，・・・，Ｘｍを介して各画素回路１５に出力される。
【００６７】
そして、走査線駆動回路１３から出力される前記走査信号によって選択された走査線Ｙ１，Ｙ２，・・・，Ｙｎ上の各画素回路１５においては、その第１及び第２のスイッチングトランジスタＴｓｗ１，Ｔｓｗ２がそれぞれオン状態に設定される。このことによって、データ線駆動回路１４から出力されたデータ電流ＩＤに対応した電荷が前記第１及び第２のスイッチングトランジスタＴｓｗ１，Ｔｓｗ２を介して保持キャパシタＣｏに書き込まれる。その後、走査線駆動回路１３から出力される前記走査信号によって第２のスイッチングトランジスタＴｓｗ２がオフ状態に設定される。
【００６８】
すると、前記変換トランジスタＴｃには保持キャパシタＣｏに書き込まれた電荷に応じた電流が流れる。そして、前記変換トランジスタＴｃとカレントミラー回路を構成する前記駆動トランジスタＴｄに前記電流に応じた大きさの駆動電流Ｉｅｌが流れる。このことによって、有機ＥＬ素子１６が前記駆動電流Ｉｅｌに応じた輝度階調で発光する。通常、書き込み速度を速くするために、データ電流ＩＤ（変換トランジスタＴｃに流れる電流）は駆動電流（駆動トランジスタＴｄに流れる電流）より大きな電流とする。つまり、変換トランジスタＴｃと駆動トランジスタＴｄとはその利得係数を変えている。このため、駆動トランジスタＴｄに流れる電流はその利得係数の比に応じた電流である。
【００６９】
次に、このように構成された有機ＥＬディスプレイ１０のデータ線駆動回路１４について図４及び図５に従って詳述する。
図４は、データ線駆動回路１４の内部構成図である。図４に示すように、データ線駆動回路１４は、制御回路２０と複数（本実施形態では、前記データ線Ｘ１，Ｘ２，・・・，Ｘｍを区分した組数であるｉ個）の単一ラインドライバＲＤ１〜ＲＤｉとを備えている。制御回路２０は、ｉ個の単一ラインドライバＲＤ１〜ＲＤｉの各々と電気的に接続されている。
【００７０】
制御回路２０は、信号生成回路１１から出力される前記６ビットの画像デジタルデータを各単一ラインドライバＲＤ１〜ＲＤｉに供給する。
各単一ラインドライバＲＤ１〜ＲＤｉは、それぞれ前記区分した各組毎に対応して設けられている。各単一ラインドライバＲＤ１〜ＲＤｉは接続線Ｌｐを介してカスケード接続されている。そして、第１の単一ラインドライバＲＤ１はデータ線Ｘ１．１〜Ｘ１．ｊが、第２の単一ラインドライバＲＤ２はデータ線Ｘ２．１〜Ｘ２．ｊが、・・・、第ｉの単一ラインドライバＲＤｉはデータ線Ｘｉ．１〜Ｘｉ．ｊがそれぞれアナログ出力端子Ｕａを介して接続されている。本実施形態では、データ線Ｘ１．１〜Ｘ１．ｊと接続する第１の単一ラインドライバＲＤ１をマスタードライバといい、第２〜第ｉの単一ラインドライバＲＤ２〜ＲＤｉをスレーブドライバという。
【００７１】
各単一ラインドライバＲＤ１〜ＲＤｉは、それぞれ前記データ線の組に割り当てられたデータ線の本数に対応した数（ｊ個）のデジタル・アナログ変換回路２１ａがそれぞれ備えている。そのｊ個のデジタル・アナログ変換２１は、カスケード接続されている。そして、第１の単一ラインドライバＲＤ１のデータ線Ｘ１．１に接続されたデジタル・アナログ変換回路２１ａの入力端子Ｐｉに基準電圧Ｖｒｅｆが供給されるようになっている。
【００７２】
次に、前記したデジタル・アナログ変換回路２１ａを図５に従って説明する。尚、各単一ラインドライバＲＤ１〜ＲＤｉに設けられた各デジタル・アナログ変換回路２１ａの回路構成は実質同じなので、説明の便宜上、ｍ−１番目のデータ線Ｘｍ−１（Ｘｉ．ｊ−１）と接続されるデジタル・アナログ変換回路２１ａについて説明する。
【００７３】
デジタル・アナログ変換回路２１ａは、本実施形態においては６ビットの電流出力型デジタル・アナログ型変換回路である。デジタル・アナログ変換回路２１ａは、第１及び第２の変換用トランジスタＱａ，Ｑｂ、電流用トランジスタＱｃｃ、第１〜６の電流供給用トランジスタＱｄ１〜Ｑｄ６、第１〜６のスイッチング用トランジスタＱｓ１〜Ｑｓ６及び基準電流生成用トランジスタＱｒｅｆを含んでいる。また、デジタル・アナログ変換回路２１ａは、６本のアナログ信号線２２ａ〜２２ｆと６本のデジタル信号線２３ａ〜２３ｆとを備えている。
【００７４】
第１及び第２の変換用トランジスタＱａ，Ｑｂ、第１〜６の電流供給用トランジスタＱｄ１〜Ｑｄ６、電流用トランジスタＱｃｃ及び基準電流生成用トランジスタＱｒｅｆはそれぞれ所定の電流レベルを出力する定電流源として機能するトランジスタである。また、第１〜６のスイッチング用トランジスタＱｓ１〜Ｑｓ６は、前記画像デジタルデータに応じてオン・オフ制御されるスイッチング素子として機能するトランジスタである。尚、本実施形態においては、前記第１の変換用トランジスタＱａ、第１〜６の電流供給用トランジスタＱｄ１〜Ｑｄ６、第１〜６のスイッチング用トランジスタＱｓ１〜Ｑｓ６及び基準電流生成用トランジスタＱｒｅｆの導電型は、それぞれ、ｎ型である。また、前記第２の変換用トランジスタＱｂ及び電流用トランジスタＱｃｃの導電型は、それぞれ、ｐ型である。
【００７５】
アナログ信号線２２ａ〜２２ｆは互いに並列に配列され、その一端がそれぞれ前記アナログ出力端子Ｕａに接続されている。アナログ出力端子Ｕａは、データ線Ｘｍ−１（Ｘｉ．ｊ−１）に接続されている。
【００７６】
また、アナログ信号線２２ａ〜２２ｆは、それぞれ、対応する第１〜６のスイッチング用トランジスタＱｓ１〜Ｑｓ６のドレインに接続されている。前記第１〜６のスイッチング用トランジスタＱｓ１〜Ｑｓ６は、その各ゲートがそれぞれ対応する第１〜６のデジタル信号線２３ａ〜２３ｆを介して第１〜６のデジタル入力端子Ｕｄ１〜Ｕｄ６に接続されている。第１〜６のデジタル入力端子Ｕｄ１〜Ｕｄ６はそれぞれ前記制御回路２０に接続されている。そして、前記第１〜６のスイッチング用トランジスタＱｓ１〜Ｑｓ６は、後記するように、前記制御回路２０から出力される前記画像デジタルデータに応じてオン・オフ制御される。
【００７７】
また、前記第１〜６のスイッチング用トランジスタＱｓ１〜Ｑｓ６の各ソースは、対応する第１〜６の電流供給用トランジスタＱｄ１〜Ｑｄ６の各ドレインに接続されている。また、前記第１〜６の電流供給用トランジスタＱｄ１〜Ｑｄ６のそれぞれのソースは共通して接地されている。即ち、前記第１〜６のスイッチング用トランジスタＱｓ１〜Ｑｓ６と第１〜６の電流供給用トランジスタＱｄ１〜Ｑｄ６とからなる電流経路は、アナログ出力端子Ｕａに接続されている。
【００７８】
また、前記第１〜６の電流供給用トランジスタＱｄ１〜Ｑｄ６は、その各利得係数βに応じたレベルの電流が流れる。ここで、第１〜６の電流供給用トランジスタＱｄ１〜Ｑｄ６は、その各利得係数βの相対比が、それぞれ、１：２：４：８：１６：３２となるように設定されている。トランジスタの利得係数βは、β＝（μＣＷ／Ｌ）で定義される。ここで、μはキャリアの移動度、Ｃはゲート容量、Ｗはチャネル幅、Ｌはチャネル長である。従って、各第１〜６の電流供給用トランジスタＱｄ１〜Ｑｄ６の電流駆動能力比は、１：２：４：８：１６：３２となり、第１〜６の電流供給用トランジスタＱｄ１〜Ｑｄ６からそれぞれ出力される電流の大きさＩａ〜Ｉｆは、以下の関係になる。
【００７９】
Ｉａ＝Ｉｂ／２＝Ｉｃ／４＝Ｉｄ／８＝Ｉｅ／１６＝Ｉｆ／３２
そして、前記第１〜６のスイッチング用トランジスタＱｓ１〜Ｑｓ６は、前記制御回路２０から出力される６ビットの前記画像デジタルデータの各ビットに対応している。例えば、画像デジタルデータの最下位ビットは、利得係数が最も小さな（即ちβの相対値が１の）第１のスイッチング用トランジスタＱｓ１に供給され、最上位ビットは、利得係数が最も大きな（即ちβの相対値が３２の）第６のスイッチング用トランジスタＱｓ６に出力されるようになっている。
【００８０】
また、前記第１〜６の電流供給用トランジスタＱｄ１〜Ｑｄ６の各ゲートは互いに接続されるとともに、ダイオード接続された第１の変換用トランジスタＱａのゲートに接続されている。
【００８１】
従って、前記第１の変換用トランジスタＱａは、第１〜６の電流供給用トランジスタＱｄ１〜Ｑｄ６のそれぞれとカレントミラー回路を構成している。つまり、各第１〜６の電流供給用トランジスタＱｄ１〜Ｑｄ６は、前記第１の変換用トランジスタＱａのゲートの電圧レベルを基準値とした電流Ｉａ〜Ｉｆをそれぞれ出力する。尚、本実施形態においては、前記第１の変換用トランジスタＱａの利得係数は、前記第１の電流供給用トランジスタＱｄ１の利得係数と同じである。従って、前記第１の変換用トランジスタＱａに流れる電流Ｉｔと同じ電流レベルを有する電流が第１の電流供給用トランジスタＱｄ１に電流Ｉａとして流れる。
【００８２】
前記第１の変換用トランジスタＱａのソースは接地されている。また、前記第１の変換用トランジスタＱａのドレインは、電流用トランジスタＱｃｃのドレインに接続されている。電流用トランジスタＱｃｃのソースには電源電圧Ｖｏが供給されるようになっている。即ち、前記第１の変換用トランジスタＱａは、電流用トランジスタＱｃｃと直列に接続されている。
【００８３】
また、電流用トランジスタＱｃｃのゲートは、ダイオード接続された第２の変換用トランジスタＱｂのゲートに接続されている。第２の変換用トランジスタＱｂのソースには前記電源電圧Ｖｏが供給されるようになっている。また、第２の変換用トランジスタＱｂのドレインは入力端子Ｐｉが接続されている。
【００８４】
従って、前記電流用トランジスタＱｃｃと前記第２の変換用トランジスタＱｂとはカレントミラー回路を構成している。つまり、電流用トランジスタＱｃｃは、第２の変換用トランジスタＱｂのゲートの電圧レベルを基準値とした電流を出力する。
【００８５】
そして、前記入力端子Ｐｉに基準電圧Ｖｒｅｆが供給されるとともに、前記第１〜６のデジタル入力端子Ｕｄ１〜Ｕｄ６に前記画像デジタルデータが入力される。すると、その入力された画像デジタルデータに応じて第１〜６のスイッチング用トランジスタＱｓ１〜Ｑｓ６がオン・オフ制御される。つまり、前記第１〜６のスイッチング用トランジスタＱｓ１〜Ｑｓ６は、第１〜６の電流供給用トランジスタＱｄ１〜Ｑｄ６からそれぞれ出力される電流Ｉａ〜Ｉｆを制御する。
【００８６】
そして、前記画像デジタルデータに応じて第１〜６の電流供給用トランジスタＱｄ１〜Ｑｄ６からそれぞれ出力される電流Ｉａ〜Ｉｆが重畳されることで、同画像デジタルデータに応じた大きさを有するデータ電流ＩＤがアナログ出力端子Ｕａから出力される。つまり、デジタル・アナログ変換回路２１ａは、６ビットの画像デジタルデータに応じて有機ＥＬ素子１６を６４階調で制御することができる。
【００８７】
このように構成されたデジタル・アナログ変換回路２１ａには、前記第１の変換用トランジスタＱａとカレントミラー回路を構成する基準電流生成用トランジスタＱｒｅｆが形成されている。詳しくは、基準電流生成用トランジスタＱｒｅｆは、そのソースが前記第１〜６の電流供給用トランジスタＱｄ１〜Ｑｄ６の各ソースに接続されている。また、基準電流生成用トランジスタＱｒｅｆのドレインは出力端子Ｐｏに接続されている。そして、基準電流生成用トランジスタＱｒｅｆのドレインは前記出力端子Ｐｏを介して隣接する他のデジタル・アナログ変換回路２１ａの入力端子Ｐｉに接続されている。即ち、基準電流生成用トランジスタＱｒｅｆは、前記電流Ｉａ〜Ｉｆが流れる前記第１〜６のスイッチング用トランジスタＱｓ１〜Ｑｓ６と第１〜６の電流供給用トランジスタＱｄ１〜Ｑｄ６とからなる電流経路には設けられていない。従って、前記基準電流生成用トランジスタＱｒｅｆから出力される基準電流Ｉｒｅｆは、前記画像データによりオン状態とされた前記第１〜６のスイッチング用トランジスタＱｓ１〜Ｑｓ６と直列に接続された前記第１〜６の電流供給用トランジスタＱｄ１〜Ｑｄ６からなる電流経路には供給されず、他のデジタル・アナログ変換回路２１ａに供給される。
【００８８】
また、前記基準電流生成用トランジスタＱｒｅｆは、その利得係数βｒｅｆが前記第１の変換用トランジスタＱａの利得係数と等しくなるように設定されている。従って、基準電流生成用トランジスタＱｒｅｆに流れる基準電流Ｉｒｅｆの電流レベルは、第１の変換用トランジスタＱａ及び第１の電流供給用トランジスタＱｄ１に流れる電流の電流レベルと同じである。
【００８９】
このように、前記基準電流生成用トランジスタＱｒｅｆは、前記第１の電流供給用トランジスタＱｄ１に流れる電流と同じ電流レベルを有する基準電流Ｉｒｅｆを前記出力端子Ｐｏから出力することができる。そして、この出力端子Ｐｏから出力される基準電流Ｉｒｅｆは、前記アナログ出力端子Ｕａから出力されるデータ電流ＩＤとは関係なく独立した電流である。そして、前記基準電流Ｉｒｅｆは、前記接続線Ｌｐを介してデータ線Ｘｍに接続されたデジタル・アナログ変換回路２１ａの第２の変換用トランジスタＱｂに出力される。
【００９０】
前記データ線Ｘｍに接続されたデジタル・アナログ変換回路２１ａの第２の変換用トランジスタＱｂは、前記データ線Ｘｍ−１に接続されたデジタル・アナログ変換回路２１ａの出力端子Ｐｏから出力される基準電流Ｉｒｅｆが供給される。すると、そのデジタル・アナログ変換回路２１ａの電流用トランジスタＱｃｃのゲートの電圧が前記第２の変換用トランジスタＱｂに流れる電流Ｉｔのレベルに応じて設定される。そして、この第１の変換用トランジスタＱａに流れる電流Ｉｔに応じた電圧が各第１〜６の電流供給用トランジスタＱｄ１〜Ｑｄ６のゲートとともに基準電流生成用トランジスタＱｒｅｆに供給される。
【００９１】
従って、データ線Ｘｍに接続されたデジタル・アナログ変換回路２１ａに含まれる各第１〜６の電流供給用トランジスタＱｄ１〜Ｑｄ６は、前記データ線Ｘｍ−１に接続されたデジタル・アナログ変換回路２１ａの基準電流生成用トランジスタＱｒｅｆを流れる前記基準電流Ｉｒｅｆを基準値とした電流Ｉａ〜Ｉｆを出力する。つまり、データ線Ｘｍに接続されたデジタル・アナログ変換回路２１ａは、前記データ線Ｘｍ−１に接続されたデジタル・アナログ変換回路２１ａの基準電流生成用トランジスタＱｒｅｆを流れる前記基準電流Ｉｒｅｆを基準値としたデータ電流ＩＤを前記画像デジタルデータに基づいて生成することができる。
【００９２】
このように、１つのデジタル・アナログ変換回路２１ａが生成した基準電流Ｉｒｅｆは、次段のデジタル・アナログ変換回路２１ａの基準電流Ｉｒｅｆとして使用される。つまり、第１の単一ラインドライバＲＤ１にある先頭のデジタル・アナログ変換回路２１ａが生成した基準電流Ｉｒｅｆが順次間にある各デジタル・アナログ変換回路２１ａに利用され且つ値を維持しつつ、第ｉの単一ラインドライバＲＤｉにある最終段のデジタル・アナログ変換回路２１ａにまで供給される。従って、異なった単一ラインドライバＲＤ１〜ＲＤｉ間において、各デジタル・アナログ変換回路２１ａの第１〜６の電流供給用トランジスタＱｄ１〜Ｑｄ６の閾値電圧等の特性ばらつきによって、同一画像デジタルデータに対して異なった大きさのデータ電流ＩＤが出力されない。
【００９３】
つまり、異なった単一ラインドライバＲＤ１〜ＲＤｉのデジタル・アナログ変換回路２１ａ間においては、その第１〜６の電流供給用トランジスタＱｄ１〜Ｑｄ６に特性ばらつきが生じてしまう。そのため、基準電圧Ｖｒｅｆを基準値として、異なった単一ラインドライバＲＤ１〜ＲＤｉのデジタル・アナログ変換回路２１ａ間の第１〜６の電流供給用トランジスタＱｄ１〜Ｑｄ６の各ゲートに前記基準電圧Ｖｒｅｆを供給すると、各単一ラインドライバＲＤ１〜ＲＤｉ間で同じ画像デジタルデータに対して異なった大きさのデータ電流ＩＤが出力されることとなる。これに対して、本発明の有機ＥＬディスプレイ１０は、各単一ラインドライバＲＤ１〜ＲＤｉは基準電流Ｉｒｅｆを基準値とするため、各第１〜６の電流供給用トランジスタＱｄ１〜Ｑｄ６はその閾値電圧の影響を受けることはない。その結果、異なった単一ラインドライバＲＤ１〜ＲＤｉ間において、同一画像デジタルデータに対して異なった大きさのデータ電流ＩＤが出力されることはない。従って、画像デジタルデータに応じてデータ電流ＩＤを精度良く制御することができる。この結果、有機ＥＬディスプレイ１０の表示品位を向上させることができる。
【００９４】
また、前記デジタル・アナログ変換回路２１ａは前記したように構成することによって、全てのデータ線Ｘ１〜Ｘｍに対して同じ回路構成で使用することができる。即ち、マスタードライバの第１のデータ線Ｘ１と接続されたデジタル・アナログ変換回路２１ａにおいては、その入力端子には基準電圧Ｖｒｅｆを供給するようにする。一方、他のデジタル・アナログ変換回路２１ａの入力端子には基準電流Ｉｒｅｆを供給するようにする。この結果、単一ラインドライバＲＤ１〜ＲＤｉを全て同じ回路構成で製造することができるので、その製造コストを削減することができる。
【００９５】
尚、有機ＥＬディスプレイ１０、デジタル・アナログ変換回路２１ａ、及び、データ線駆動回路１４は、特許請求の範囲に記載の電気光学装置、電子回路、及び、データ電流供給回路または電子装置に対応している。また、前記第１の変換用トランジスタＱａ及び第２の変換用トランジスタＱｂは、それぞれ、特許請求の範囲に記載の第１のトランジスタ及び第６のトランジスタに対応している。更に、第１〜６の電流供給用トランジスタＱｄ１〜Ｑｄ６及び第１〜６のスイッチング用トランジスタＱｓ１〜Ｑｓ６は、それぞれ、特許請求の範囲に記載の複数の第２のトランジスタ及び第３のトランジスタに対応している。基準電流生成用トランジスタＱｒｅｆ及びデータ電流ＩＤは、特許請求の範囲に記載の第４のトランジスタ及び駆動電流量にそれぞれ対応している。
【００９６】
また、前記第１〜６のデジタル信号線２３ａ〜２３ｆ及びアナログ出力端子Ｕａは、特許請求の範囲に記載の信号線及び出力端子にそれぞれ対応している。さらに、前記第２の変換用トランジスタＱｂのゲート、第２〜６の電流供給用トランジスタのゲート及び第１〜６のスイッチング用トランジスタＱｓ１〜Ｑｓ６のゲートは、それぞれ、特許請求の範囲に記載の第１の制御用端子、第２の制御用端子及び第３の制御用端子に対応している。また、前記基準電流生成用トランジスタのゲート、第１の電流供給用トランジスタのゲート、第１の変換用トランジスタＱａのゲートは、それぞれ、特許請求の範囲に記載の第４の制御用端子、第５の制御用端子及び第６の制御用端子に対応している。
【００９７】
前記実施形態の有機ＥＬディスプレイによれば、以下のような特徴を得ることができる。
（１）  前記実施形態では、単一ラインドライバＲＤ１〜ＲＤｉのデジタル・アナログ変換回路２１ａに第１〜６の電流供給用トランジスタＱｄ１〜Ｑｄ６の各々とカレントミラー回路を構成する第１の変換用トランジスタＱａと、カレントミラー回路を構成する基準電流生成用トランジスタＱｒｅｆを形成した。そして、その基準電流生成用トランジスタＱｒｅｆの利得係数βｒｅｆを前記第１の変換用トランジスタＱａの利得係数と等しくなるように設定した。また、前記基準電流生成用トランジスタＱｒｅｆの出力端子Ｐｏを隣接して形成される他の単一ラインドライバＲＤ１〜ＲＤｉのデジタル・アナログ変換回路２１ａの入力端子Ｐｉに接続した。
【００９８】
このようにすることによって、前記他の単一ラインドライバのデジタル・アナログ変換回路２１ａでは前記基準電流Ｉｒｅｆを基準値として画像デジタルデータに応じたデータ電流ＩＤを出力することができる。このとき、データ電流ＩＤは、前記第１〜６の電流供給用トランジスタＱｄ１〜Ｑｄ６の閾値電圧の影響を受けることはない。その結果、異なった単一ラインドライバＲＤ１〜ＲＤｉ間において、同一画像デジタルデータに対して異なった大きさのデータ電流ＩＤが出力されることはない。従って、画像デジタルデータに応じてデータ電流ＩＤを精度良く制御することができる。その結果、有機ＥＬディスプレイ１０の表示品位を向上させることができる。
【００９９】
（２）  前記実施形態では、基準電流Ｉｒｅｆを生成するマスタードライバとその基準電流Ｉｒｅｆに応じて駆動するスレーブドライバの回路構成は全て同じである。従って、前記マスタードライバと前記スレーブドライバとを区別して使用する必要はない。この結果、単一ラインドライバの製造コストを削減することができる。
【０１００】
（第２実施形態）
次に、第１実施形態で説明した電気光学装置としての有機ＥＬディスプレイ１０の電子機器の適用について図６に従って説明する。有機ＥＬディスプレイ１０は、モバイル型のパーソナルコンピュータ、携帯電話、デジタルカメラ等種々の電子機器に適用できる。
【０１０１】
図６は、モバイル型パーソナルコンピュータの構成を示す斜視図を示す。図６において、パーソナルコンピュータ３０は、キーボード３１を備えた本体部３２と、前記有機ＥＬディスプレイ１０を用いた表示ユニット３３とを備えている。この場合においても、有機ＥＬディスプレイ１０を用いた表示ユニット３３の表示品位を向上させることができる。
【０１０２】
尚、発明の実施形態は、上記実施形態に限定されるものではなく、以下のように実施してもよい。
○上記実施形態では、画像デジタルデータを６ビットとし、その６ビットの画像デジタルデータに応じて、デジタル・アナログ変換回路２１ａを６ビットの電流出力型デジタル・アナログ型変換回路に適応した。これを６ビット以外のデジタル・アナログ型変換回路に適用してもよい。このようにすることで、上記実施形態と同様の効果を得ることができる。
【０１０３】
○上記実施形態では、デジタル・アナログ変換回路２１ａを構成する第１及び第２の変換用トランジスタＱａ，Ｑｂ、第１〜６の電流供給用トランジスタＱｄ１〜Ｑｄ６の導電型をｎ型としたが、ｐ型にしてもよい。このようにすることで、上記実施形態と同様の効果を得ることができる。
【０１０４】
○上記実施形態では、１色からなる有機ＥＬ素子１６の画素回路１５を設けた有機ＥＬディスプレイ１０であったが、赤色、緑色及び青色の３色の有機ＥＬ素子１６に対して各色用の画素回路１５を設けたＥＬディスプレイに応用しても良い。
【０１０５】
○上記実施形態では、画素回路１５に具体化して好適な効果を得たが、有機ＥＬ素子２１以外の例えばＬＥＤやＦＥＤ等の発光素子のような電流駆動素子を駆動する単位回路に具体化してもよい。ＲＡＭ等（特にＭＲＡＭ）の記憶装置に具体化してもよい。
【０１０６】
○上記第１実施形態では、電流駆動素子として有機ＥＬ素子１６について具体化したが、無機ＥＬ素子に具体化してもよい。つまり、無機ＥＬ素子からなる無機ＥＬディスプレイに応用しても良い。
【図面の簡単な説明】
【図１】第１実施形態の有機ＥＬディスプレイの電気的構成を示すブロック回路図である。
【図２】表示パネル部の回路構成を示すブロック回路図である。
【図３】画素回路の回路図である。
【図４】データ線駆動回路の内部構成図である。
【図５】デジタル・アナログ変換回路の回路図である。
【図６】第２実施形態を説明するためのモバイル型パーソナルコンピュータの構成を示す斜視図である。
【符号の説明】
ＩＤ・・・駆動電流量としてのデータ電流、Ｑａ…第１のトランジスタとしての第１の変換用トランジスタ、Ｑｂ…第６のトランジスタとしての第２の変換用トランジスタ、Ｑｄ１〜Ｑｄ６…第２のトランジスタとしての第１〜第６の電流生成用トランジスタ、Ｑｓ１〜Ｑｓ６…第３のトランジスタとしての第１〜６のスイッチング用トランジスタ、Ｑｒｅｆ…第４のトランジスとしての基準電流生成用トランジスタ、１０…電気光学装置としての有機ＥＬディスプレイ、１４…電子装置またはデータ電流供給回路としてのデータ線駆動回路、１５…画素回路、１６…電気光学素子としての有機ＥＬ素子、２０…制御回路、２１ａ…電子回路としてのデジタル・アナログ変換回路、７０…電子機器としてのモバイル型パーソナルコンピュータ。
【図１】
2004254190.tif 000003
【図２】
2004254190.tif 000004
【図３】
2004254190.tif 000005
【図４】
2004254190.tif 000006
【図５】
2004254190.tif 000007
【図６】
2004254190.tif 000008